(57)【要約】【課題】  従来にない優れた効果を有するＬＥＤ照明装置を提供することにある。【解決手段】  照明装置(10)は、光源となるＬＥＤ(11)と、このＬＥＤ(11)の基板回路部(12)と、ＬＥＤ(11)から照射される光を拡径しかつ光の拡散を抑制して光の束である光束に変換する光源ユニット(13)と、光源ユニット(13)から照射された光束を灯影するための光束灯影反射板(20)と、照明装置(10)の発光面の外装部分となる化粧板(14)とを備える。光源ユニット(13)は、光束灯影反射板(20)の一辺又は複数辺の上方延長線上に１個又は２個以上、光源ユニット(13)から照射された光束が光束灯影反射板(20)の反射面(21)全面に入光する全面入光角度(a)となるように設置する。前記光束灯影反射板(20)は、光束方向断面が直線状で横幅方向断面が湾曲状で、光源ユニット(13)から照射された光束を化粧板(14)へ均一に制御された光で散光するための凹凸形状(30)を備える。【選択図】  図１
2011009198.tif 000002
【特許請求の範囲】
【請求項１】
ＬＥＤの発光する点光源の光を面発光させる照明装置(10)において、
光源となるＬＥＤ(11)と、
このＬＥＤ(11)を点灯させるための回路を基板上に設けた基板回路部(12)と、
ＬＥＤ(11)から照射される光を拡径しかつ光の拡散を抑制して光の束である光束に変換する機能を持つレンズ又は／及びリフレクターからなる光源ユニット(13)と、
光源ユニット(13)から照射された光束を灯影するための光束灯影反射板(20)と、
照明装置(10)の発光面の外装部分となる光透過性を有する化粧板(14)とを備え、
前記光源ユニット(13)は、光束灯影反射板(20)の一辺又は複数辺の上方延長線上に１個又は２個以上設置するとともに、光源ユニット(13)から照射された光束が光束灯影反射板(20)の光源ユニット(13)側の反射面(21)全面に入光する全面入光角度(a)となるように設置し、
前記光束灯影反射板(20)は、光束方向断面が直線状であるとともに、光源ユニット(13)から照射された光束を化粧板(14)へ均一に制御された光で散光するための凹凸形状(30)を備えたことを特徴とするＬＥＤ照明装置(10)。
【請求項２】
ＬＥＤの発光する点光源の光を面発光させる照明装置(10)において、
光源となるＬＥＤ(11)と、
このＬＥＤ(11)を点灯させるための回路を基板上に設けた基板回路部(12)と、
ＬＥＤ(11)から照射される光を拡径しかつ光の拡散を抑制して光の束である光束に変換する機能を持つレンズ又は／及びリフレクターからなる光源ユニット(13)と、
光源ユニット(13)から照射された光束を灯影するための光束灯影反射板(20)とを備え、
前記光源ユニット(13)は、光束灯影反射板(20)の一辺又は複数辺の上方延長線上に１個又は２個以上設置するとともに、光源ユニット(13)から照射された光束が光束灯影反射板(20)の光源ユニット(13)側の反射面(21)全面に入光する全面入光角度(a)となるように設置し、
前記光束灯影反射板(20)は、光束方向断面が直線状であるとともに、光源ユニット(13)から照射された光束を目的照射方向へ均一に制御された光で散光するための凹凸形状(30)を備えたことを特徴とするＬＥＤ照明装置(10)。
【請求項３】
前記光束灯影反射板(20)は、反射面が白色系、白色系以外のカラー色系又は銀又は金色からなる鏡面系の着色を有することを特徴とする請求項１又は２記載のＬＥＤ照明装置(10)。
【請求項４】
前記光束灯影反射板(20)は、線状又は／及び点状或いは非幾何学的模様に形成された連続性を有する凹凸形状(30)であることを特徴とする請求項１から３のいずれかに記載のＬＥＤ照明装置(10)。
【請求項５】
前記光束灯影反射板(20)は、片面又は両面を反射面(21)としてその反射面(21)に凹凸形状を備えたことを特徴とする請求項１から４のいずれかに記載のＬＥＤ照明装置(10)。
【請求項６】
前記光束灯影反射板(20)は、反射面(21)に開孔部(22)を備えて、その開孔部(22)に凹凸受光面を持つ光透過性を有する光導入体(60)を嵌め込んだことを特徴とする請求項１から５のいずれかに記載のＬＥＤ照明装置(10)。
【請求項７】
前記光束灯影反射板(20)は、光束方向と交差する横幅方向に膨らんだ湾曲形状の湾曲面(24)を備えたことを特徴とする請求項１から６のいずれかに記載のＬＥＤ照明装置(10)。
【請求項８】
前記光束灯影反射板(20)は、湾曲面(24)の光束方向左右対称に平坦形状の固定面(25)を備えたことを特徴とする請求項７記載のＬＥＤ照明装置(10)。
【請求項９】
前記光束灯影反射板(20)は、光束方向左右両端を起立させた起立部(26)を備えたことを特徴とする請求項１から８のいずれかに記載のＬＥＤ照明装置(10)。
【請求項１０】
前記光束灯影反射板(20)は、起立部(26)の先端を外側へ折り曲げた補助片(27,28)を備えたことを特徴とする請求項９記載のＬＥＤ照明装置(10)。
【請求項１１】
前記光源ユニット(13)は、その照射角度が１５度以内であることを特徴とする請求項１から１０のいずれかに記載のＬＥＤ照明装置(10)。
【請求項１２】
前記光束灯影反射板(20)は、光束方向と交差する横幅方向に平面状の平面反射面(82)もしくは凹状又は凸状に湾曲された円又は楕円反射面(24)を備えたことを特徴とする請求項１から１１のいずれかに記載のＬＥＤ照明装置(10)。
【請求項１３】
前記光束灯影反射板(20)は、凹状に湾曲された円又は楕円反射面(24)を備えるとともに、その一部又は全部に光透過性を有する円柱状のケース部材内に設置又はその一部又は全部に光透過性を有する取付部材に取付することを特徴とする請求項１２記載のＬＥＤ照明装置(10)。
【請求項１４】
請求項１３記載のＬＥＤ照明装置(10)内部を密閉構造としたことを特徴とするＬＥＤ照明装置。
【請求項１５】
請求項１３又は１４記載のＬＥＤ照明装置(10)を円周方向に回転自在な構造としたことを特徴とするＬＥＤ照明装置。
【請求項１６】
前記光源ユニット(13)は、光源ユニット(13)から直接に化粧板(14)へ照射される光を減衰させるための減光部材を備えたことを特徴とする請求項１から１５のいずれかに記載のＬＥＤ照明装置(10)。
【請求項１７】
前記光源ユニット(13)から前記光束灯影反射板(20)の対面側に照射された光を光束灯影反射板(20)へ再反射させる到達反射板(40)を備えたことを特徴とする請求項１から１６のいずれかに記載のＬＥＤ照明装置(10)。
【請求項１８】
請求項１７記載のＬＥＤ照明装置(10)を前記到達反射板(40)が背合わせになるように連結したことを特徴とするＬＥＤ照明装置。
【請求項１９】
請求項１７記載のＬＥＤ照明装置(10)を前記光源ユニット(13)と前記到達反射板(40)が背合わせになるように連結したことを特徴とするＬＥＤ照明装置。
【請求項２０】
前記光源ユニット(13)は、前記光源ユニット(13)から円錐状に照射された光束の中心線から上半分の光の一部又は全部が、到達反射板(40)の下部又は中央部に照射される角度に設置することを特徴とする請求項１７から１９のいずれかに記載のＬＥＤ照明装置(10)。
【発明の詳細な説明】
【技術分野】
【０００１】
本願発明は、ＬＥＤを使用する照明装置に関するものである。
【背景技術】
【０００２】
ＬＥＤは、白熱電灯・蛍光灯と比較して省エネ化できる地球温暖化対策品としてＬＥＤを使用する照明装置が多く使用されている。
このうち、特許文献１は、発光素子の光出射側に形成された光出射部と第１の光出射部に隣接して形成された第２の光出射部と、第１の光出射部と第１の光出射部および第２の光出射部に対向するように配置された光出射部部と第１の光出射部および第２の光出射部と光反射部との間に形成された導光部とを備え、第１の光出射部は発光素子からの光の少なくとも一部を拡散する光拡散剤を備え、第１の光出射部の光拡散剤によって発光素子からの光の少なくとも一部が拡散されるので第１の光出射部の発光面における輝度を減少させるとともに、第２の光出射部の輝度を増加させることができ、均一な面発光をしている照明装置である。
この薄型化した照明装置を大型照明装置の背面底部に、配列して照明ユニットとすることも可能であるが、発光素子の配置する数が多くなり、省エネ化に適していない。
【０００３】
特許文献２は、導光板と導光板端面の光導入部に対峙して設置されるＬＥＤ光源に、加えて導光板の光出射面表面に設置されたプリズムシートで構成され、導光板導入部には導光板と一体に設けられ、ＬＥＤ光源が照射した光を拡散させるレンズを有し、導光板の光出射面を対向する面には、光導入部と平行に複数の溝からなるローレットが施され、プリズムシートには、導光板側に断面が略三角形の略角柱であって略三角形の一方の辺が曲線から成るプリズム形状を、三角柱の柱方向が光導入部に平行な向きに複数個形成したプリズムシートの組み合わせとなって導光板における面発光を可能としている。
しかし、導光板方式においては、ＬＥＤから照射される光は拡散されるレンズにより横方向に広げ、導入部の陰影差を低減しているが、ＬＥＤ面は導光板導入部と平行に光を導入しているので、ＬＥＤおよび拡散レンズによる拡散照射であり、導光板に設けられている複数の溝の高さも低く、小型液晶画面には適しているが、大型するにはＬＥＤの数を多くして配置して照度を得る必要があり、大型化による導光板の厚みが増えるので、中型以上の照明ユニットには適していない。
【０００４】
特許文献３は前面が開放された箱体と、該箱体の側壁部と平行に互いに対抗して配置された少なくとも２枚の配線板と、該配線板に設置された複数の発光素子と、該箱体の底部に配置された光反射板と該箱体の前面開口部に設置された透光性の光拡散表面板からなるライトボックスであって、前記光反射板は前記箱体前面開口部に向かって突出した山型凸部を有し、前記箱体の底部前記発光素子の発光部の最低部との距離をｈ、前記箱体の底部を前記光拡散表面板との距離をｄ、前記箱体の底部と前記山型凸部の頂点との距離をＬ、とするとき「ｈ＜Ｌ≦（ｈ＋ｄ）／２」を満たすことを特徴とするライトボックスである。
砲弾型の円錐拡散反射をする発光素子を配列して使う、小型ライトボックスとしてはこの数式を当てはめた構造で可能であるが、砲弾型発光素子では光が拡散し到達距離が少なく大型化には適していない。
【０００５】
特許文献４は、ケースの底面に光反射部材を配置し、表面側に発光面部材を配置し、これら光反射部材面と発光面部材とで挟まれる空間を中空導光板領域とし、この中空導光板領域に隣接して、配線基板に多数個のＬＥＤを配置したＬＥＤ光源を配置し、ＬＥＤ光源からの光をユニットの厚み方向のＬＥＤ光軸上に対して平行になるように集光するＬＥＤコリメータをＬＥＤ光源の出射部にＬＥＤの配列平行に配置した中空式面照明装置であって、ＬＥＤコリメータにはＬＥＤの配列からの光を屈折させて体内に導入あるいは出射する屈折集光機能部と体内に導入した光を全反射させて中空導光領域に出射させる全反射集光機能部を設けた照明装置である。
導光板方式で、導光板のアクリル部が不要となった構造で、軽量化を実現しているが光は一体式のコリメータを使っているので、光導入部の陰影差は解消できるが、光を延伸する構造には適していない。
また、反射板が平滑なのでＬＥＤから照射される光は、全反射板の入光角と比例方向に照射されその陰影差を無くすために、レンズシート、プリズムシートを使い拡散調整しなければならない。
【０００６】
特許文献５は、成形性に優れたアルミニウム合金製のエンボス加工板が開示されている。このエンボス加工板は、エンボス加工板の諸特性を低下させずに、プレス成形などの成形性を向上させたものであり、輸送機などへのアルミニウム合金製エンボス加工板の用途を大きく拡大するものである。
このエンボス加工による凹凸形状（波形形状）は輸送機の部材（例えば、自動車など輸送機の、触媒コンバーター、マフラー周辺の排気案内部分、トランスミッション部分、エンジンのマウント周辺等に設けられる、断熱や遮熱のためのヒートインシュレータと称されるカバー（遮蔽材）、また、フード、ルーフ、ドアなどのアウター用パネル材の内側に設ける遮音乃至緩衝材）としては優れたものであるかもしれない。しかし、このエンボス加工板の凹凸形状は登頂部が比較的平らなため（図１（ｂ）及び図２参照）、光の反射に適するものではない。
【先行技術文献】
【特許文献】
【０００７】
【特許文献１】特開２００５−１９７３２０号公報
【特許文献２】特許第４０４４５１１号公報
【特許文献３】特開２００６−２０２７２９号公報
【特許文献４】特開２００８−  ６００６１号公報
【特許文献５】特開２００２−  ６０８７８号公報
【発明の概要】
【発明が解決しようとする課題】
【０００８】
上記したようにＬＥＤを使用する照明装置は多くあるが、様々な課題も有している。まとめると次のようになる。
［直下型］
ＬＥＤを発光面直下に配列して目的照度は得られるものの、大型照明装置には大量のＬＥＤを使用することになり、ウォール構造を持つ立体反射板を設けても、蛍光灯と比較して十分な省エネ効果を得ることができない。高輝度ＬＥＤと反射板を使い拡散反射させて照射される方法も検討されているが、高輝度ＬＥＤの個数を多くつかうことから、低コスト化が実現できない。
［導光板］
導光板に使うアクリルのコストが高い。またアクリルの導光反射機能を有するために、アクリル板の受光反射部の形成加工または製造時の一体成型が必要で拡散シートやプリズムシートの部品点数も多く、インバーター仕様の蛍光灯代替照明と比較するとデザイン性は優れているもののイニシャルコストが大幅に高い。
［反射板］
フラットな反射板は、入光する光の光跡は出現するものの、鈍角で照射される光は、入光角に比例する同じ鈍角の角度方向に反射され、照明装置としては照度が不足する。ＬＥＤのみで照射する場合は、反射板の均一到達距離も短いので、長さが少ない。小型照明装置としては有効であるが、大型照明装置としては適していない。
［光水平照射式］
ＬＥＤの光を集光するレンズを使い、そのレンズ面を反射板に直角に設置して、レンズ自然拡散照射しても、ＬＥＤの特徴である直線で照射される中心部の光は、乱反射されることなく突き当たり対象物に到達するまで直進してしまい、突き当たりに反射板を設けても中型照明装置では、陰影差が非常に大きく反射板に対峙する面に拡散板を設けなければならない。
［反射部材の角度］
装置内に設ける灯影反射面の全体に角度を設けて、光跡灯影反射板に設けた凹凸の受光率を向上させる手法も検討できるが、正反射を抑制した凹凸形成が得られない反射部材は、光到達点が狭くなると正反射された光は拡散板と併用しないと、光が線反射方向に正反射され、光源ユニットの対峙する辺の周囲が明るくなり、均一な灯影面を形成することができない。
【０００９】
本願発明は以下の目的を達成するべく、本願発明者らによって完成されたものである。
（１）長尺の照明装置に対応できる。
（２）長尺を連続することで幅が広い大型照明装置に対応できる。
（３）ＬＥＤの数をできる限り減らすことができ省エネ化ができる。
（４）ＬＥＤの消費電流が少なくても高照度が得られるので省エネ化ができる。
（５）高輝度ＬＥＤの性能を低出力で使用し、高照度を得られるのでＬＥＤの寿命を延ばせる。
（６）既設の照明装置へ対応できる。
（７）軽量化できる。
（８）照明装置の構造部品点数が非常に少なく、装置の低コスト化ができる。
（９）ＬＥＤの高輝度化に対応できる。
【課題を解決するための手段】
【００１０】
上記目的を達成するために、第１の発明は、ＬＥＤの発光する点光源の光を面発光させる照明装置(10)において、光源となるＬＥＤ(11)と、このＬＥＤ(11)を点灯させるための回路を基板上に設けた基板回路部(12)と、ＬＥＤ(11)から照射される光を拡径しかつ光の拡散を抑制して光の束である光束に変換する機能を持つレンズ又は／及びリフレクターからなる光源ユニット(13)と、光源ユニット(13)から照射された光束を灯影するための光束灯影反射板(20)と、照明装置(10)の発光面の外装部分となる光透過性を有する化粧板(14)とを備え、前記光源ユニット(13)は、光束灯影反射板(20)の一辺又は複数辺の上方延長線上に１個又は２個以上設置するとともに、光源ユニット(13)から照射された光束が光束灯影反射板(20)の光源ユニット(13)側の反射面(21)全面に入光する全面入光角度(a)となるように設置し、前記光束灯影反射板(20)は、光束方向断面が直線状であるとともに、光源ユニット(13)から照射された光束を化粧板(14)へ均一に制御された光で散光するための凹凸形状(30)を備えたことを特徴とするＬＥＤ照明装置(10)である。
第２の発明は、ＬＥＤの発光する点光源の光を面発光させる照明装置(10)において、光源となるＬＥＤ(11)と、このＬＥＤ(11)を点灯させるための回路を基板上に設けた基板回路部(12)と、ＬＥＤ(11)から照射される光を拡径しかつ光の拡散を抑制して光の束である光束に変換する機能を持つレンズ又は／及びリフレクターからなる光源ユニット(13)と、光源ユニット(13)から照射された光束を灯影するための光束灯影反射板(20)とを備え、前記光源ユニット(13)は、光束灯影反射板(20)の一辺又は複数辺の上方延長線上に１個又は２個以上設置するとともに、光源ユニット(13)から照射された光束が光束灯影反射板(20)の光源ユニット(13)側の反射面(21)全面に入光する全面入光角度(a)となるように設置し、前記光束灯影反射板(20)は、光束方向断面が直線状であるとともに、光源ユニット(13)から照射された光束を目的照射方向へ均一に制御された光で散光するための凹凸形状(30)を備えたことを特徴とするＬＥＤ照明装置(10)である。
第３の発明は、前記光束灯影反射板(20)は、反射面が白色系、白色系以外のカラー色系又は銀又は金色からなる鏡面系の着色を有することを特徴とする同ＬＥＤ照明装置(10)である。
第４の発明は、前記光束灯影反射板(20)は、線状又は／及び点状或いは非幾何学的模様に形成された連続性を有する凹凸形状(30)であることを特徴とする同ＬＥＤ照明装置(10)である。
第５の発明は、前記光束灯影反射板(20)は、片面又は両面を反射面(21)としてその反射面(21)に凹凸形状を備えたことを特徴とする同ＬＥＤ照明装置(10)である。
第６の発明は、前記光束灯影反射板(20)は、反射面(21)に開孔部(22)を備えて、その開孔部(22)に凹凸受光面を持つ光透過性を有する光導入体(60)を嵌め込んだことを特徴とする同ＬＥＤ照明装置(10)である。
第７の発明は、前記光束灯影反射板(20)は、光束方向と交差する横幅方向に膨らんだ湾曲形状の湾曲面(24)を備えたことを特徴とする同ＬＥＤ照明装置(10)である。
第８の発明は、前記光束灯影反射板(20)は、湾曲面(24)の光束方向左右対称に平坦形状の固定面(25)を備えたことを特徴とする同ＬＥＤ照明装置(10)である。
第９の発明は、前記光束灯影反射板(20)は、光束方向左右両端を起立させた起立部(26)を備えたことを特徴とする同ＬＥＤ照明装置(10)である。
第１０の発明は、前記光束灯影反射板(20)は、起立部(26)の先端を外側へ折り曲げた補助片(27,28)を備えたことを特徴とする同ＬＥＤ照明装置(10)である。
第１１の発明は、前記光源ユニット(13)は、その照射角度が１５度以内であることを特徴とする同ＬＥＤ照明装置(10)である。
第１２の発明は、前記光束灯影反射板(20)は、光束方向と交差する横幅方向に平面状の平面反射面(82)もしくは凹状又は凸状に湾曲された円又は楕円反射面(24)を備えたことを特徴とする同ＬＥＤ照明装置(10)である。
第１３の発明は、前記光束灯影反射板(20)は、凹状に湾曲された円又は楕円反射面(24)を備えるとともに、その一部又は全部に光透過性を有する円柱状（筒状）のケース部材内に設置又はその一部又は全部に光透過性を有する取付部材に取付することを特徴とする同ＬＥＤ照明装置(10)である。
第１４の発明は、前記ＬＥＤ照明装置(10)内部を密閉構造としたことを特徴とする同ＬＥＤ照明装置である。
第１５の発明は、前記ＬＥＤ照明装置(10)を円周方向に回転自在な構造としたことを特徴とする同ＬＥＤ照明装置である。
第１６の発明は、前記光源ユニット(13)は、光源ユニット(13)から直接に化粧板(14)へ照射される光を減衰させるための減光部材を備えたことを特徴とする同ＬＥＤ照明装置(10)である。
第１７の発明は、前記光源ユニット(13)から前記光束灯影反射板(20)の対面側に照射された光を光束灯影反射板(20)へ再反射させる到達反射板(40)を備えたことを特徴とする同ＬＥＤ照明装置(10)である。
第１８の発明は、第１６の発明に係るＬＥＤ照明装置(10)を前記到達反射板(40)が背合わせになるように連結したことを特徴とする同ＬＥＤ照明装置である。
第１９の発明は、第１６の発明に係るＬＥＤ照明装置(10)を前記光源ユニット(13)と前記到達反射板(40)が背合わせになるように連結したことを特徴とする同ＬＥＤ照明装置である。
第２０の発明は、前記光源ユニット(13)は、前記光源ユニット(13)から円錐状に照射された光束の中心線から上半分の光の一部又は全部が、到達反射板(40)の下部又は中央部に照射される角度に設置することを特徴とする同ＬＥＤ照明装置(10)である。
【発明の効果】
【００１１】
第１の発明によれば、以下の効果を有する。
（１）直線状に照射される光束の約８０％以上（約２０％は自由散光になってしまうため）を面発光面となる光束灯影反射板に照射できるので、ＬＥＤから照射される光（ＬＥＤ光）を、無駄なく高効率でＬＥＤ光の利用が可能となる。
（２）ＬＥＤから照射された光を面発光（光束）に変換し、この光束を光束灯影反射板に計算された低位置から光束灯影反射板へ全面入光角度（鈍角）に照射することで、光束の強い光が斜めに光束灯影反射板に当たり、光束灯影反射板上に形成された凹凸形状の反射面（受光部）に光束を残し、この凹凸形状に正反射された光束が、照明装置の光として提供されて、非常に少ない電気消費量と、発光部となるＬＥＤの数が少なく、部品点数が少ない今までに無い、イニシャルコスト・ランニングコストともに限られたＬＥＤの光を最大限利用した低コストの照明ユニットが提供できる。
（３）光束灯影反射板に光源ユニットから照射された光束を化粧板へ正反射する凹凸形状を形成することで、凹凸形状の反射面が灯影反射（正反射）されて、光源ユニットから照射される光を制御し、効率良く化粧板へ反射できる。
（４）選別が難しいＬＥＤ自身の色温度（ケルビン）の違いによる色目が異なるＬＥＤを光源ユニット上に配列しても、本願発明の光束灯影反射方式とすることで、化粧板から視認する照度は色温度の差は視認できなくなり、ＬＥＤの厳選された選別が不要になり、均一な光を提供することができる。また、選別が不要となることでコストを低減することができる。
（５）７００ｍｍ×４５０ｍｍ×７０ｍｍｔの照明ユニットで明るさを３０００Ｌｘで灯影する場合、７００ｍｍ光束灯影反射板に対し、１辺（４５０ｍｍ辺）の光源ユニットからの照射で対応できる。このときの消費電流は、順電流が７５０ｍＡのＬＥＤを１２個配置した場合、電流値は２５０ｍＡで消費電流は、９．１２ｗである。ＬＥＤの数を８個と少なくした場合、電流値は４００ｍＡで消費電流は、１４．６ｗで、非常に少ない消費電流で灯影できる照明装置である。順電流が７５０ｍＡのＬＥＤを半分以下の電流値で使用することで、電気消費量の削減はもとより、ＬＥＤ自身の点灯寿命も大幅に伸びる。また低電流での使用は、放熱基板の使用条件も緩和され、ＬＥＤの個数削減とともに大幅なコスト削減が可能な照明装置が提供できる。
（６）一般家庭・オフィス用照明で利用する場合、１００００Ｌｘ程度の最低の明るさを求める場合は、前記の寸法の場合、対峙する２辺に光源ユニットを設け電流値を５００ｍＡとすることで可能となる。これ以上の明るさを求める場合は、放熱基板を用いることで電流値を７５０ｍＡとすることで、照度は向上するが、インバーター付き蛍光灯との差が少なくなってくるが、導入コストとランニングコストの格差でも、早い段階で解消できる。
（７）光源ユニットの光を光束灯影反射板の１辺のみの単一方向から照射する場合は、凹凸の突起部分の辺または面の受光部と陰影部の比率を、受光部の辺または面の面積を多くする形状とすることで、光束灯影反射の受光面積を多くすることができる。
【００１２】
第２の発明によれば、以下の効果を有する。
（１）光源ユニットから照射された光束による明るさを、自然減衰値以下に下げないで、直接目的照射方向へ照射することが可能である。
（２）光束灯影反射板が鏡面タイプのものに有効である。すなわち、鏡面タイプは反射率がよく、光束が筋として視認できる。そのため、化粧板があってもコントラスト（陰影差＝ムラ）がはっきりしてしまうが優れた照度をえることができる。
【００１３】
第３の発明によれば、以下の効果を有する。
（１）光束灯影反射板に白色系、白色系以外のカラー色系、銀又は金色からなる鏡面系のもの（６０％以上の正反射率を有するもの）を選ぶことで、照明装置の発光色を容易に着色（制御）することで光束灯影反射板で反射される光の色を制御できる。
（２）ＬＥＤの素子で明るさを求める場合、光束（ルーメン）数値の高いＬＥＤ・色温度（ケルビン）数値の高いＬＥＤを選定する。しかし、これら高い数値のＬＥＤを選定した場合、ＬＥＤ特有の白色光となり、蛍光灯で見慣れている視覚とでは、冷たい白色光と視認することから、光束灯影反射板をたとえばアイボリー色に着色することで、光束（ルーメン）数値の高いＬＥＤ・色温度（ケルビン）数値の高いＬＥＤでも、光束灯影反射板の色が灯影されて白色の透過性を有する保護板から視認される光は、保護板が白色でも暖色光（ウォームホワイト）の色で灯影され、蛍光灯代替照明器具に使用した場合、使用するＬＥＤの冷たい感じを防止できる。
（３）ＬＥＤを光源とする赤・青の着色光を、育苗光として低コストで植物育苗に有効に利用できるようになる。
【００１４】
第４の発明によれば、以下の効果を有する。
（１）凹凸形状は、点または点線あるいは線（直線・屈折線・曲線・破線・傾斜線・交点を持つ線等）を、光束灯影反射板全体に密接間隔で立体形成し灯影する辺または面の数を増やすこと、あるいは立体成形する辺または面に受光する光の灯影反射面積を増やすことで灯影反射量が向上する。
（２）凹凸形状は、直線あるいは円弧（３次元形状の円弧を含む）を持つ辺または面で形成される突起または窪みを持つ構造体で、光束灯影反射するための受光面が構成される。凹凸の高さは、鈍角で受光する凹凸の深さに関係し、深い構造が好ましいものではなく、光の受光面の大きさと多さが光束灯影反射を有効とする。しかし、導光板のようにＬＥＤ配置ごと、レンズの配列ごとに光束灯影反射板を作製するのは、製造上・在庫の問題が発生するので、汎用の光束灯影反射板により都度光束灯影反射板の大きさに影響されることなく同時に光束灯影反射面を設計しなくても各照明装置に対応できる。
（３）凹凸の頭頂部は、平滑面または緩やかな曲面を持たないできるだけ尖鋭構造とすることで、灯影反射効果率を向上させることができる。
（４）自然拡散角度による受光方法でも、光束灯影反射することはできるが、反射板に直角に設けられたレンズまたはリフレクターから照射される直進光（中心付近の光）は対峙する辺に照射され反射板に直角に設けられた反射材により入光方向に向かい反射されてしまうのに対して、光源ユニットから照射されるレンズまたはリフレクターあるいはその両方を使用することで照射された光束を光束灯影反射板に受光面に対して鈍角(a)の角度を設けて照射することで、光束灯影反射板上に設ける凹凸辺または面の深くまで受光でき、光源ユニットから照射される光の無駄無く目的方向に光束灯影反射できる。
【００１５】
第５の発明によれば、以下の効果を有する。
（１）両面に６０％以上の反射機能を有する反射面を設けた反射板に外部応力で凹凸面を形成した場合あるいは両面に６０％以上の反射機能を有する凹凸を成形することで、光源ユニットを各面ごとに設置して、それぞれの両面を光束灯影反射することができる。
【００１６】
第６の発明によれば、以下の効果を有する。
（１）開孔部(22)に光導入体(60)を備えることで、ＬＥＤ光源ユニット(13)側で灯影する光を反面側（裏面側）へ通過灯影させ、両面灯影することができる。
（２）反射性の他に透過性を有する白色又は黄色系の樹脂で片側に照射する光を自然透過させることで、比率は異なるものの両面発光させることもできる。
【００１７】
第７の発明によれば、以下の効果を有する。
（１）灯影反射板(20)の反射面（受光面）(21)を光束方向に対し直角方向に湾曲した湾曲面(24)であることで、横方向辺から照射されたＬＥＤ(11)の光は湾曲面(24)のそれぞれの曲面方向に灯影反射される。
（２）すなわち、湾曲形状は、湾曲を形成する円周曲面方向に鈍角(a)に照射された光が湾曲角度方向に反射される。また、化粧板(14)に設ける透過性樹脂を設けることで再反射され、反射板(20)に鈍角(a)に照射された光は更に角度を増加されて広域方向に照射される。
（３）湾曲灯影反射板（湾曲面(24)を備えた光束灯影反射板(20)）を平行配置した場合の接合部におけるＬＥＤ非配置の陰影灯影（暗部発生）を防止できる（放射状にＬＥＤ光が広がるため、ＬＥＤ非配置の陰影灯影差をカバーできる）。
【００１８】
第８の発明によれば、以下の効果を有する。
（１）固定面(25)を備えると、光束灯影反射板(20)の固定が確実・容易になるとともに、光束灯影反射板(20)の歪み・捻れを防止できる。すなわち、湾曲形成された光束灯影反射板(20)の形状を固定面(25)の固定により変形・捩れを矯正でき、光束灯影反射板(20) 湾曲面(24)の断面直線を得ることができる。
（２）固定面(25)を備えると、湾曲形成された光束灯影反射板(20)の平行配列が確実・容易に行える。
（３）湾曲形成された光束灯影反射板(20)を平行配列する場合、固定面(25)を重ね合わせ面として利用できる。
（４）光束灯影反射板(20)を固定具(53)で固定する際に生じる、湾曲面(24)の円周形状の破壊を防止できる。
【００１９】
第９の発明によれば、以下の効果を有する。
（１）起立部(26)を備えたことで、光源ユニット(13)からの光束の拡散を防止し、反射面(21)開口部方向(y)に光を灯影できる。
（２）起立部(26)を備えたことで、光源ユニット(13)からの光束が起立部(26)にも入光し、起立部(26)の設定角度方向に反射される。
（３）起立部(26)を備えたことで、光束灯影反射板のねじれ・ゆがみを防止し強度を高めることができる。
【００２０】
第１０の発明によれば、以下の効果を有する。
（１）起立部(26)先端に外側へ折り曲げる補助片(27,28)を備えることで、起立部(26)の変形を防止できる。
（２）起立部(26)との相乗効果で強度安定性が向上する。
（３）起立部(26)の左右の高さを変えた先端に同等角度の外側へ折り曲げる補助片(27,28)を備えることで、平行する光束灯影反射板(20)の連結を確実・容易にできる。
【００２１】
第１１の発明によれば、以下の効果を有する。
（１）光源ユニット(13)からの照射角度が１５度でも、光束灯影反射板(20)の長さ（長手方向）が６００ｍｍＬのものにも対応できる。
（２）光源ユニット(13)からの照射角度が１５度以内、すなわち最大照射角度が１５度の光源ユニット(13)が使用できることで、光源ユニット(13)の選択肢が広まった。
【００２２】
第１２の発明のよれば、以下の効果を有する。
（１）凹凸形状(30)を備えた光束灯影反射板(20)の構造は、横から照射される光を目的方向に２次反射させるために、折り曲げ角により角度を有する平面反射面(82)もしくは凹状又は凸状に湾曲された円又は楕円反射面(24)を形成することにより、発光するＬＥＤの数量と間隔・配置幅等により計算された、集光又は拡散するための反射面(21)を提供できる。
（２）すなわち、光源ユニット(13)より横から照射される円錐状に制御された光は、凹凸形状(30)を備えた光束灯影反射板(20)に当たることで、凹凸方向にのみ自然拡散を含めて凹凸面方向に反射される。しかし、看板のように化粧板(14)を明るくするならば、凹凸形状を備えた平面の反射面でよいが、光を目的方向に向かい照射させることには適していない。そこで、本願発明では、光束灯影反射板(20)を折り曲げて、狭い間隔（３０ｍｍピッチ＝ＬＥＤのセンターピッチ）で直線に配置された光を任意の折り曲げた面方向にも照射する構造とした（側面折曲構造）。この折り曲げは、側面以外にも逆富士構造とすることで、側面以外の位置でも有効である。また、凹凸形状を備えた反射面は、平面以外にも面が多数組み合わされた多角面、角を曲げる曲面としたもの、さらには、平面を円・楕円としたもの、その円・楕円を凹状又は凸状とした円又は楕円反射面を形成することで、凹凸形状(30)で反射される光を集光又は拡散できる。例えば、ＬＥＤ(11)を３個以上５個以下５０ｍｍピッチで連続して配置する場合は、凹状又は凸状に湾曲された円又は楕円反射面(24)は優れた湾曲された目的方向への分散性（拡散）を有しており、ＬＥＤ(11)を５個以上連結して配置する場合は、光束灯影反射板(20)は平面反射面でもよく、ＬＥＤ(11)を３個以下の場合で分散する場合は、凹状の円又は楕円反射面(24)による湾曲側壁を使い、目的方向に分散（拡散）できる。
（３）ここで、「平面反射面」の場合には、光源ユニット(13)から照射された光と同一方向に対して直角又は任意に設定された反射方向角度を有する面を設置する。
（４）また、「凸状の円又は楕円反射面」の場合には、光源ユニット(13)から照射された光は、凸状に湾曲された反射面に照射されることで湾曲された方向に照射される。従って、一定間隔で配置した連続する光源ユニット(13)からの光を目的方向に照射させることを優先する拡散手法であり、この凸状の湾曲率を強くすることで、円錐状の中心光のみを集光反射することができる（反射面に鏡面材を使用することで、さらに強い光を目的方向に照射できる）。なお、ゆるやかな円弧の凸状においては、２個以上の光源ユニット(13)から円錐状に照射された光を個々の湾曲形状に照射する拡散反射に適している（複数配置された光源ユニット(13)設置環境では、全体には拡散されているが、個々の光源ユニット(13)の光がわずかに横方向に拡散されており、照明装置として見た場合２個以上の光源ユニット(13)により、高輝度反射する面が２面以上配置されたことによる拡散された照明装置となる）。一方、きつい円弧の凸状においては、高輝度反射される面が狭まり光源ユニット(13)の光を高輝度状態で反射できる集光された照明装置となる。但し、平面でも同じ集光効果をもたせることはできるが、凹凸形状(30)が連続的に備えられた波板状態の光束灯影反射板(20)においては側面又は両側面に補強のための曲げが必要となり、高さが水平な凹凸面を形成し難い。これに対して、凸状又は凹状の反射面とすることで、凹凸頭頂部の高さを製造段階で狂わすことなく、全体面としての縦と横方向の強度を高めることができる。
（５）さらに、「凹状の円又は楕円反射面」の場合には、凹状の円又は楕円反射面（凹湾曲面）の一部或いは一部を残した全部を光束灯影反射板(20)の前方部（光源ユニット(13)側）・中間部・後方部（到達反射板(40)側）直線又は設計された曲線で開口（開口部）することで、光源ユニット(13)から照射された光と到達反射板(40)から反射された光を、面又は線で開口部から灯影できる。すなわち、光源ユニット(13)から照射された光を、凹湾曲面の凹凸形状(30)を有する反射面(21)に照射し、その照射された光を横方向に反射させる構造として、凹状の円又は楕円反射面の側面（側壁）を活用するものである。
（６）ここで、細い灯影面積と狭い範囲への照射の場合、凹湾曲面の直径を、光源ユニット(13)が入るサイズを最小限として、円周を小さくする方法、凹湾曲面の円周における開口部を狭く細長い開口とする方法、或いは、その両方を組み合わせて使用することで、狭い範囲への照射が可能となる。また、広い灯影面積と広い範囲（横方向）への照射の場合、凹湾曲面の直径を太くする方法、凹湾曲面の円周における開口部を広く太長い開口部とする方法、凹湾曲面の一部を残してそのほとんどを開口部とする方法、或いは、それらの方法を組み合わせて使用することで、広い範囲への照射が可能となる。具体的には、凹湾曲面の円周距離で２０％以上９０％以下の開口部と円周径で照射拡散角度を制御できる。（７）なお、開口部を制御する方法として、均一円周の光束灯影反射板(20)を２枚又は３枚程度積層して、そのうちの２枚を円周方向に沿って回転させることで、開口部面積を変化させて、照射・灯影面積を制御できる。
【００２３】
第１３の発明によれば、以下のような効果を有する。
（１）前記光束灯影反射板(20)は、凹状に湾曲された円又は楕円反射面(24)を備えるとともに、その一部又は全部に光透過性を有する円柱状のケース部材内に設置又はその一部又は全部に光透過性を有する取付部材に取付することで、面光源商品ができる。
（２）すなわち、透明パイプ内等に設置できるので、スリム化が可能となる。また、スリム化したユニットを並列又は直列に並べることで、大型発光面に対応できる。
【００２４】
第１４の発明によれば、以下のような効果を有する。
（１）前記光束灯影反射板(20)の凹凸形状(30)は汚れが付着した際に清掃しにくい構造となっているが、前記ＬＥＤ照明装置(10)内部を密閉構造としたことで、前記光束灯影反射板(20)の凹凸形状(30)への埃・塵等の付着を防止できる。
（２）また、ＬＥＤ点灯時の発光発熱による閉鎖空間内での温度上昇による空間内の膨張と冷却による収縮を原因と、電磁波による吸着作用を原因として、ＬＥＤ照明装置(10)内に周囲から微細な塵埃の流入が発生し、塵埃付着による反射性の低下が発生するが、密閉構造とすることで周囲からの塵埃流入を防止させるとともに、同時に防水・防滴機能を持たせることができるので、照度低下の防止やクリーニングメンテナンスの簡素化を実現できる。
【００２５】
第１５の発明によれば、以下のような効果を有する。
（１）前記ＬＥＤ照明装置(10)を円周方向に回転自在な構造としたことで、開口部から照射された光を回転された方向に照射できる。
（２）そして、照射方向を自在にコントロールできることで、ＬＥＤ照明装置(10)の取付場所を選ぶことなく、目的とする照射方向へ効率良く光を照射できる。また、天井や壁面に光を反射させてインテリア効果や演出効果を与えることも可能になる。
【００２６】
第１６の発明によれば、以下の効果を有する。
（１）ＬＥＤで発光した光を集光させるための光源ユニット(13)から照射される光で、光源ユニット(13)部分の化粧板(14)は、いかなる集光レンズ構造体を使用しても明るくなってしまう。この明るさを減衰させる方法としては、光を拾い出す方法があり、高輝度部は光を取り出すドット又はラインピッチを広くあけて明るさを低減させるとともに、低輝度部はドット又はラインピッチを狭くすることで、明るさのコントロールを任意で調整できる手法が取られてきた。しかし、ドット又はラインピッチは、優れた輝度バランスの一定化は可能であるが、加工コストが高く、照明ユニットの大きさ、発光するＬＥＤの数やレンズ性能により都度設計・製造する必要があるので、製品全体のコストを低減できない。
（２）これに対して、前記光源ユニット(13)は、光源ユニット(13)から直接に化粧板(14)へ照射される光を減衰させるための減光部材、例えば、光源ユニット(13)のレンズやリフレクターの化粧板(14)側に光を減衰するための光透過性を有する「板」又は目的方向への開口部を有してレンズやリフレクターの周囲を覆う「筒（円形又は角形）」を設けて、光源部分に近接する化粧板(14)の輝度を低減させることができる。これによれば、光源ユニット(13)から照射される光束灯影反射板(20)側への光を減衰することはなく、光源ユニット(13)の直上方向に漏れた光のみを減光し、化粧板(14)による面発光の輝度差を低減できる。
（３）すなわち、光源ユニット(13)を構成するレンズやリフレクターの直上にＬＥＤの光の一部を遮断・減衰するための減光板や減光筒等を設けることで、光源部分に接する化粧板(14)の照度を下げる。具体的には、透過率５０％から７０％の白色系板又は円柱物をＬＥＤ素子面から３０ｍｍから６０ｍｍの長さで被覆又は載置する。
【００２７】
第１７の発明によれば、以下の効果を有する。
（１）前記光源ユニット(13)から前記光束灯影反射板(20)の対面側に照射された光を光束灯影反射板(20)へ再反射させる到達反射板(40)を備えたことで、陰影差の発生を防止することができる。
【００２８】
第１８の発明によれば、以下の効果を有する。
（１）背合わせに到達反射板(40)を設けた２連結面発光体（ＬＥＤ照明装置）においては、化粧板(14)に発生する連結部に起因する陰影差を解消できる。
（２）この場合、ＬＥＤ(11)の取り付け位置は下げる。すなわち、到達反射板(40)およびその支持体は、化粧板(14)よりも５〜１０ｍｍ低くする。また、到達反射板(40)の角度は、対峙する発光部の手前で光束灯影反射板(20)の中心点より先の、長手方向２／３〜１／１０で好ましくは１／５の位置に到達反射板(40)の最先端の光線が戻る最適下向角にする（低くした到達反射板(40)の上部には、補強の折り曲げは外側折の３ｍｍあるいは折り曲げ補強は無くす）。低くした背合わせの到達反射板(40)の上部には、２ｍｍから５ｍｍの隙間を残すことができる厚さの白色の円柱又は半円或いは楕円の光拡散物を設けるとよい。
【００２９】
第１９の発明によれば、以下の効果を有する。
（１）前記光源ユニット(13)と前記到達反射板(40)が背合わせになるように連結しても、陰影差を低減させた面発光ができる。
（２）この組み合わせによりＬＥＤの直列方向においても、無限の長さに延長することができる。
【００３０】
第２０の発明によれば、以下の効果を有する。
（１）前記光源ユニット(13)からの光を前記光束灯影反射板(20)に角度を設けて照射するのみでは、距離の二乗で減衰する光の性質から、光束灯影反射板(20)の長さが長くなると拡散角度の狭いレンズ又はリフレクターを使用しても、光束灯影反射板(20)の先端部（反光源ユニット(13)側）は暗くなってしまう。そして、光束灯影反射板(20)の反射面(21)はそれに比例して凹凸形状(30)による反射効率も減衰し、光束灯影反射板(20)と化粧板(14)の空間内を自然拡散および自然拡散反射を使っても均一な明るさを得ることはできない。
（２）しかしながら、光束灯影反射板(20)と角度を有する到達反射板(40)の両方に前記光源(13)から円錐状に拡散される光束を照射することで、ＬＥＤ照明装置(10)の化粧板(14)全体を明るくすることができる。
【図面の簡単な説明】
【００３１】
【図１】本願発明に係る照明装置の第１実施形態を示す斜視図（全体図）。
【図２】本願発明に係る照明装置の第１実施形態を示す断面図（光束方向）。
【図３−１】本願発明に係る照明装置の第２実施形態を示す説明図（凹凸形状１）。
【図３−２】本願発明に係る照明装置の第２実施形態を示す説明図（凹凸形状２）。
【図３−３】本願発明に係る照明装置の第２実施形態を示す説明図（凹凸形状３）。
【図４】本願発明に係る照明装置の第２実施形態を示す説明図（凹凸形状４）。
【図５】本願発明に係る照明装置の第３実施形態を示す説明図（両面反射構造）
【図６】本願発明に係る照明装置の第４実施形態を示す説明図（開孔部１）
【図７】本願発明に係る照明装置の第４実施形態を示す説明図（開孔部２）
【図８−１】本願発明に係る照明装置の第５実施形態を示す説明図（湾曲部）
【図８−２】本願発明に係る照明装置の第５実施形態を示す説明図（湾曲部２）
【図８−３】本願発明に係る照明装置の第５実施形態を示す説明図（湾曲部３）
【図８−４】本願発明に係る照明装置の第５実施形態を示す説明図（湾曲部４）
【図９】本願発明に係る照明装置の第６，７実施形態を示す説明図（平坦部、起立部）
【図１０】本願発明に係る照明装置の第６，７実施形態を示す説明図（平坦部、起立部）
【図１１】本願発明に係る照明装置の第８実施形態を示す説明図（光束灯影反射板形状）
【図１２】本願発明に係る照明装置の第９実施形態を示す説明図（パイプ型照明装置）
【図１３】本願発明に係る照明装置の第９実施形態を示す説明図（パイプ型照明装置）
【図１４】本願発明に係る照明装置の第１０実施形態を示す説明図（直列連結構造）
【図１５】本願発明に係る照明装置の第１１実施形態を示す説明図（レンズ設置角）
【発明を実施するための形態】
【００３２】
本願発明に係る照明装置(10)を図面に基づいて説明する。
図１及び図２について説明する。
図１及び図２は、本願発明の第１実施形態を示す斜視図及び断面図である。
まず、ＬＥＤ(11)について説明する。
（１）ＬＥＤ(11)については、ＬＥＤの色は白色（クールホワイト、ウォームホワイト）の色温度を選ぶことなく利用できると共に、ＲＧＢ（赤・緑・青）の三原色混合ＬＥＤ、植物の育苗光線として有効な赤色・青色のＬＥＤを利用用途に応じて使える。
（２）また、ＬＥＤ(11)は、１Ｗ以上の高出力仕様が好ましい。ＬＥＤの出力の高いものを選ぶことで、発光する光線が強く、光束照射レンズ（光源ユニットとしてのレンズ・リフレクター）と組み合わせた際、明るさと同時に光束灯影反射板の長い（約１．５ｍ）位置あるいは広い範囲を明るく灯影することができる効果がある。
（３）なお、ＬＥＤの点灯は、ボリュームコントロールによる調光や、多灯ＬＥＤの場合は非全点灯（必要に応じた個数の調整発光）で光量調整ができる。
（４）ＬＥＤ(11)の配列間隔については、光束灯影反射板の反射面（灯影面）に鋭角に入光する位置で２０ｍｍ（最狭間でレンズ・リフレクター径とし）〜８０ｍｍの間隔（光束の中心点間隔）で配列するのがよい（光束灯影反射板の反射面が湾曲形状では配列が直線的ではない場合もある）。明るさを求める場合は、間隔を狭くし、適度の明るさでよい場合は間隔を広くしてイニシャルコストとランニングコストを低減することもできる。
【００３３】
次に、光源ユニット(13)について説明する。
（１）光源ユニット(13)としてのレンズについては、ＬＥＤの発光する光を遠い位置に到達させるために、次のような円錐状（楕円円錐状を含む）あるいは三角錐状に照射する光束光線（光束）となるものが好ましい。すなわち、照射する光束灯影反射板の長さ（長手方向）が３００ｍｍＬ以上の場合は、レンズ照射角度が８度以上２５度以下（好ましくは１０度以上２０度以下）で、同３００ｍｍ以下の場合は、レンズ照射角度が８度以上４５度以下（光束灯影反射板に配置するＬＥＤの設置間隔が狭い場合は、好ましくは１０度以上３０度以下）である。また、到達位置は遠くなく、広い範囲に照射するための光束灯影反射板に対しては、光束灯影反射板に対して垂直方向の溝を持つローレット形状の縦方向非拡散の溝方向拡散レンズ又はリフレクター或いはその両方からなる単独あるいは他の光束用レンズの組み合わせにより選ぶとよい。
（２）光源ユニット（ＬＥＤとレンズ又はリフレクター或いはその両方により）(13)からの照射角度は水平（光束灯影反射板(20)と平行）又は鈍角（光束灯影反射板(20)に直角に交わる線を基準として光束灯影反射板(20)のない方の角度(a)）な角度による照射が好ましい。特にその中でも、鋭角な入光角度で凹凸を形成する突起に深く照射される僅かな角度を灯影板(20)側に傾けたレンズ(13)から照射された光束の中心線から外線(b)の範囲で灯影反射板(20)の対峙する辺の先端に当る角度が好ましい。
（３）なお、レンズの周囲又はＬＥＤの周囲及び基板上に防滴・防水効果を有する白色酸化チタン又は白色アルミナを配合させた樹脂を塗布することで、発光光源部周囲（発光レンズの周囲）においても乱反射で返ってくる光を前方向へ反射させる光源部とできる。この場合、白色のアルミナを９０％以上９９．５％未満添加することで、防滴・防水樹脂に放熱機能を持たせることができる。
【００３４】
続けて、光源ユニット(13)について説明する。
（１）ＬＥＤ(11)の点光源の光をレンズ又はリフレクター或いはその両方により、レンズまたはリフレクターの太さで照射する円錐（楕円円錐状を含む）あるいは鋭角な三角推の拡散を抑制した光束とすることで照射距離による照度減衰を最小限に抑制することができ、減衰率が少ない光で光到達距離を延伸することが可能となる。
（２）円錐（楕円円錐状を含む）あるいは鋭角な三角推の拡散を抑制した光束を、光束灯影反射板(20)の反射面(21)に対して全面入光角度（鈍角）(a)で入光させることで、反射面(21)に光束を入光辺から対峙する辺まで照射させることができるので、長手方向の大型化が容易となる。また、発光部（光源ユニット）(13)を直列（直線状のものの他に湾曲状のものを含む）に一定間隔で並べることで、幅方向においても大型化が可能となる。
（３）凸レンズ又は／及びフレネルレンズ機能を組み合わせた薄型のレンズを使うことで、光源ユニット(13)のレンズ部分を薄くでき、光束灯影反射板照明ユニット(10)を小型化することができる。
（４）レンズ又はリフレクター或いはその両方を使った円錐（楕円円錐状を含む）或いは鋭角な三角推で照射部から照射される光束の太さは、照射口で１０ｍｍ径以上８０ｍｍ径以下好ましくは２０ｍｍ径以上４０ｍｍ径以下、この円錐（楕円円錐状を含む）あるいは鋭角な三角錐を平行（高さ方向の湾曲も含む）に連続して並べることで、円錐光の高輝度照射部の直径が光束灯影面の幅と光束の灯影面灯影到達距離（奥行）となり、化粧板(14)を透過することでほぼ均一な発光面を提供できる（なお、光束灯影反射板(20)が鏡面の場合は化粧板(14)が無い場合もある）。
（５）化粧板(14)から灯影される光の均一性を求めないで筋灯影でも可能な場合は、ＬＥＤおよびレンズ・リフレクターの設置間隔を広げることで、電気消費量を低減させた任意の発光面を得ることが可能となる。
（６）照明装置(10)の厚さは、レンズ又はリフレクター或いはその両方を使った照射部のレンズ又はリフレクターの直径に依存しているので、２０ｍｍ程度の小径のレンズまたはリフレクターあるいはその両方を使った照射口とすることで、照明装置として薄型化も可能となる。
（７）照射板の大型化において高照度を求める場合は、ＬＥＤ(11)の消費電流を増加させることで容易であるが、配列されたＬＥＤ(11)の間隔を詰める方法、対峙する辺さらには複数の辺から光束灯影反射板(20)に入光させることで、高照度を得ることができる。
【００３５】
続けて、光源ユニット(13)について説明する。
（１）ＬＥＤ(11)とレンズ（光源ユニット）(13)の配置については、光源となるＬＥＤ(11)とそれに接合されたレンズ（光源ユニット）(13)において光束灯影反射板(20)の対峙する辺の両端に配置する場合は、対峙する直線上に配置するが、ＬＥＤ(11)の間隔が広い場合は、一辺のＬＥＤ(11)の間隔の中間点に対峙する位置に、もう一辺のＬＥＤ(11)の中心点を設ける。ＬＥＤ配列間隔が広いことで発生する陰影差は、対峙された辺から照射されるＬＥＤ(11)の光で補うことができる。また、広いＬＥＤ(11)の配列間隔の間に上向き反射又は下向き反射の反射板（到達反射板）(40)を設けることで陰影差の発生を防止することができる。ここで、到達反射板(40)は、フラットな平板状の他に、計算された配光曲線又は配光曲面を備えた目的方向に反射するものが好ましい。
（２）到達反射板(40)の設置角度は上向き反射で入光側を０度とした場合、９１度以上１３５度以下、下向き反射で入光側を０度とした場合、４０度以上９０度以下で発光するＬＥＤ(11)の光源付近の到達反射の明暗コントラスト妨げない角度とする。設定角度が甘いと到達反射板(40)の効果を得ることが出来なく、設定角度がきついとその反射面のみが明るくなってしまう。
（３）到達反射板(40)は白色光の場合、白色又は鏡面反射板でよく、鏡面反射板はより強い到達反射を得ることができる。灯影光が着色された色の場合は（着色方法には、ＬＥＤ素子、レンズ、反射板それぞれの着色又はそれらの組合せによるものが考えられる）、使用する投影反射板(20)と到達反射板(40)の同色が好ましい。
（４）設定する角度の灯影反射板(20)側に鈍角で入光する角度で設定して、光束灯影反射板(20)の凹凸の背面に照射する方式と、化粧板(14)に鈍角で直接反射させて、化粧板(14)自身を発光させることができ、化粧板(14)の輝度差を低減させるために、光束灯影反射板(20)の大きさによる明るさのバランスから配慮した、最適な角度として、反射による光としている。
【００３６】
次に、基板回路部(12)について説明する。
（１）ＬＥＤ回路基板（基板回路部）(12)については、ＬＥＤ(11)の発光出力により紙基板、ガラスエポキシ基板、放熱性を有するアルミ基板から選んだ基板を使う。
（２）基板回路部(12)の放熱基板としては、次のようなものを使用するとよい。銅箔をＬＥＤ接点パターンにエッチングした通電回路にアルミ・アルミナ・窒化アルミ・ボロン・カーボンの単独あるいは混合した熱伝導性を有するフィラーを配合し、エポキシ系の接着剤と混合し、アルミ板又はアルマイト処理されたアルミと、Ａステージ又はＢステージにて製造された放熱基板である。
（３）あるいは、０．５μｍ以下のフィルム又はシアノアクリエート系の熱伝導阻害層を最小厚とし、通電部と通電物質であるアルミ板との間隔を保つための絶縁層機能を有するアルマイト厚を１０μｍ以上３０μｍ以下とした放熱基板である。
（４）なお、銅回路自体の熱伝導性を高めるために、銅箔回路の銅の幅を広くしたり、厚くしてＬＥＤパッケージの熱を銅に熱均衡させ、アルミ放熱板への熱伝導のための熱伝導接点面積を多くした基板とすることが好ましい。
（５）なお、銅箔の裏面側の凹凸の凹部分を主接着面とし、凸部分上面での接着層の厚さを３μｍ以下とすることで、接着のための圧縮熱可塑時に絶縁面を有するアルマイト又は放熱樹脂と接着し、ＬＥＤ(11)の発光時に発生する発光発熱を通電用の銅箔に伝え、その熱を銅箔裏面の凸部分と密着接触する絶縁面に熱抵抗を最小限で放熱させるとよい。
【００３７】
次に、化粧板(14)について説明する。
（１）図１及び図２に示す第１実施形態では、照明装置(10)の発光面の外装部材として化粧板(14)を備えているが、化粧板(14)は照明装置(10)の内部構造を保護する保護体としての役割を果たすものでもあり、その意味で内部構造の保護の必要が無い場合には、化粧板(14)を必要としない場合もある。
（２）例えば、自動販売機の販売対象物（飲料水の缶やペットボトル）を照らす用に利用する場合には内部構造を保護する必要がないので、化粧板(14)を備えないで利用する。すなわち、照射光源部分が見えず照射目的物のみが見える細型構造のものに利用できる。
【００３８】
次に、光束灯影反射板(20)について説明する。
（１）光束灯影反射板(20)への入光方向（入光角）については、光束灯影反射板(20)に対して低位置から光束灯影反射板(20)へ全面入光角度（鈍角）(a)又は光束灯影反射板に対して平行に照射する。ここで、「低位置」とは、ＬＥＤ光源ユニット(13)の中心が光束灯影反射板(20)から１ｍｍ以上１００ｍｍ以下で、光源ユニット(13)の化粧板(14)側外径から化粧板(14)までが１０ｍｍ以上離れた位置を意味する。好ましくは、底部となる反射面(21)と上部となる化粧板(14)の中心位置（中心部）を基準とした上下１０ｍｍの位置である。なお、光束灯影反射板(20)の長さ（長手方向）が４００ｍｍＬ以下の場合は当該中心部又は中心部より低い位置、同４００ｍｍＬ以上の場合は当該中心部又は中心部より高い位置に配置することが好ましい。また、照明装置(10)の総厚が薄い場合で、当該中心部上下１０ｍｍの位置の取り付けができない場合は、当該中心部でできる限り光束灯影反射板(20)側に近い位置が好ましく、光束灯影反射板(20)と化粧板(14)がレンズスペースしか無い場合は、光束灯影反射板(20)の直上でもよい。さらに、ＬＥＤ光源ユニット(13)が化粧板(14)に近い場合は、照射された光が化粧板(14)に直接灯影されるので、化粧板(14)より１０ｍｍ以上（好ましくは２０ｍｍ以上）離れた方がよく、光束灯影反射板(20)からは光束灯影反射板(20)の長さ（長手方向）が３００ｍｍＬ以下では１ｍｍ以上離してあればよく、同３００ｍｍＬ以上の場合では１０ｍｍ以上離れた方が反射面(21)全面に入光させることができる。
（２）光束灯影反射板(20)上に設けた凹凸形状(30)に受光方向がある場合、あるいは補強・拡散防止辺によりＬＥＤ光源ユニット(13)が配置できない場合は、それ以外の配置できる１箇所の辺あるいはその対峙する２箇所の辺とする。
（３）光束灯影反射板(20)上に設けられた凹凸形状(30)に受光方向性がない場合は、ＬＥＤ光源ユニット(13)が配置できた辺から、必要とする明るさを投影する陰影差バランス（コントラスト）を低減するために灯影反射板の辺上に配置する。
（４）光束灯影反射板(20)は、図１で反射面(21)を直線状すなわち平面のものにしており、図２で反射面(21)を湾曲状すなわち湾曲面のものにしている。
【００３９】
次に、ＬＥＤ光の着色について説明する（図示省略）。
（１）白色系・カラー系としては、６０％以上の正反射率を有するインク印刷・塗料塗装・フィルムの貼り合わせを、凹凸形状の成形ができる金属板・樹脂板・微細発砲樹脂板・樹脂と紙の複合板・板紙の単独あるいは選ばれた複合物に、両面又は片面に、印刷あるいは塗布・貼り合せた白色以外のカラー色系の反射板がある（銀又は金色からなる鏡面系も印刷・塗装で対応できる）。
（２）白色系・カラー系としては、６０％以上の正反射率を得るために白色あるいは白色以外のカラー系フィラーを混入したペレットを成形してなる樹脂反射板がある。
（３）金属を蒸着してなる鏡面反射板としては、６０％以上の正反射率を得るために金属表面を化学研磨したりバフ研磨あるいはその表面に金属を蒸着してなる鏡面反射板がある。また、金属板・樹脂板に銀又は金シートを貼り合わせてなる鏡面反射板がある。
（４）鏡面アルマイトとしては、アルミ表面を化学研磨した後、任意の色に着色するアルマイト処理した６０％以上の正反射率を有する反射板がある。
【００４０】
図３（図３−１から図３−３）及び図４について説明する。
図３（図３−１から図３−３）及び図４は、本願発明の第２実施形態を示す説明図である。
まず、図３−１について説明する。
（１）凹凸形状(30)として片面に突起を形成する片面用又は両面用に突起を形成する両面用がある。
（２）形状としては、以下のものがその例として挙げられる。
図３−１（Ａ）…  点状又は線状の凹凸形状の一例
図３−１（Ｂ）…  片面断面形状の一例
図３−１（Ｃ）…  両面平面形状（左図は点状凹凸形状、右図は線状凹凸形状）の一例
図３−１（Ｄ）…  格子状凹凸形状の平面図（入光方向の２方向）。
直線を交差させた格子突起から選ばれた曲線辺あるいは直線辺からなる片面あるいは両辺の各錐の登頂部は正反射（鈍角比例）を防止するため、平滑面・なだらかな頭頂部であってはならない。
（３）両面に突起を形成する場合、灯影反射面の独立錐・一部が途切れた連鎖錐は前後左右表裏を交互に行い、連結錐においては表裏を交互に配置する。
（４）鈍角に受光する投影反射性を高めるために凹凸形状をずらして成形することもできる。例えば、点状の凹凸形状を千鳥状（互い違いに或いは交互に）に配置するような成形である。これにより反射効率を高めることができる。
（５）非加熱で外部応力により形成する各錐は、突起形成時の張力で支持体が引っ張られ、灯影反射板が突起形成とともに歪みが発生するが、各錐を前後左右表裏に交互に配置することで歪みの発生を抑制することができる。また、独立錐あるは一部が途切れた連続錐の周囲に数百μｍの緩衝スペースを設けることで、歪みを抑制することができ突起錐が形成された平らな灯影反射板が構成される。
【００４１】
次に、図３−２について説明する。
（１）図３−２は、波型凹凸形状(30)の光束灯影反射板(20)において、同一方向の傾斜面ごとに同一の着色(31)と異なる色の着色(32)を施したものである。こうすることで、光束(i)を照射した場合、着色(31)の反射面が反射し、着色(31)に着色された反射光が灯影される。このとき異なる色の着色(32)は陰影部となる。また、光束(j)を照射した場合、着色(32)の反射面が反射し、着色(32)に着色された反射光が灯影され、着色(32)は陰影部となる。
（２）例えば、着色(31)を青色系のものにし、着色(32)を赤色系のものにする。そして、朝方に光束(i)を照射し、照明装置(10)を青色に発光させてさわやかな雰囲気を提供できる。夕刻に光束(j)を照射し、照明装置(10)を赤色に発光させて安らいだ雰囲気を提供できる。
（３）すなわち、凹凸形状(30)を図３−２に示すような構造にして、ＬＥＤの入光方向を切り替えることで２通りの灯影色を提供することができる。
【００４２】
次に、図３−３について説明する。
（１）ＬＥＤ(11)による省エネを最優先で検討する場合、四角の光束灯影反射板(20)に対して１辺に、光源ユニット(13)を配置するが、さらなる明るさを求める場合は、対峙する辺または全ての辺に光源ユニット(13)を配置して、光束灯影反射板(13)に向けて鈍角(a)に受光するように照射することで、光束光束灯影反射板(20)の灯影率を向上させることができる。このときの光束灯影反射板(20)の辺の形状は、三角・四角・それ以上の多角でも対応でき、光源ユニット(13)および光源ユニット(13)の光を再反射する到達反射板(40)を一定間隔で折り曲げるあるいは設置することで、円周を持つ形状を灯影反射することができる。
（２）すなわち、ＬＥＤ光源ユニット(13)の照射される光束の到達距離が１ｍ以内で横方向に拡散する場合は二等辺三角形の一角に発光部を設けて放射拡散する光が二等辺三角形全体を照射できるようにすることもできる。この三角形を組み合わせる又は平面上で同等手法を行うことで円形灯影板あるいは多角形灯影板の入光方法として利用できる。
（３）図３−３（Ａ）は、三角形状の光束灯影反射板(20)を６枚連結して６角形の照明装置(10)を構成したものである。この時、光源ユニット(13)は中心点（中心位置）から外辺方向に照射されるので、光束灯影反射板(20)には線状（入光方向に対して直角の線）の凹凸形状(301)又は点状の凹凸形状(302)を設ける。
（４）図３−３（Ｂ）（Ｃ）は、一枚板で構成された光束灯影反射板(20)であり、（Ｂ）は光源ユニット(13)を中心点（中心位置）に設けて外辺方向へ照射するタイプであり、（Ｃ）は光源ユニット(13)を外辺に設けて中心点（中心位置）へ照射するタイプである。光源ユニット(13)は中心点（中心位置）から外辺方向に照射される。１枚の反射板で対応する場合は点状の凹凸形状(302)となる。
【００４３】
次に、図４について説明する。
（１）図４（Ａ）…非均一形状が連続する非幾何学的模様の凹凸形状（いわゆる吹雪柄或いはアメーバー的デザイン柄）
（２）図４（Ｂ）…一定の厚さを持つ金属・樹脂・あるいはこれらを積層した板に一定パターンでスリットを入れ、引き伸ばした際に形成される応力ねじれにより形成された反射面が角度を有する立体網いわゆるラス網
（３）図４（Ｃ）…破線状（線が切れているもの或いは線と点の組み合わせ）の凹凸形状の一例
【００４４】
次に、光束灯影反射板(20)の凹凸形状の成形方法について説明する（図示省略）。
（１）６０％以上の正反射率を有する非加熱あるいは加熱により凹凸面が形成された反射板で非加熱凹凸成形は０．２０ｍｍ〜０．７ｍｍ厚の金属（防錆処理したＦｅ、Ａｌ、ＳＵＳ等）又は紙の凹凸成形形状支持体をプレス金型、ローラー金型によるより０．２ｍｍ以上２ｍｍ以下好ましくは０．３５ｍｍ以上１．０ｍｍ以下の凹凸に圧縮成形する。
（２）加熱によりシート状熱可塑性樹脂を熱溶解・熱軟化させ、真空成形加工して金型に形成された凹凸形状を形状支持体あるいは樹脂面に形成する。なお、シート状熱可塑性樹脂は微細発泡された材料でもよい。６０％以上の反射率を有する樹脂成形からなる反射板はインジェクション成形、キャスト成形、ブロー成形により灯影反射するための凹凸を形成する。なお、インジェクション成形、キャスト成形、ブロー成形をする際は成形完了において、商品最終形状が成形されることも可能である。
（３）アルミまたはアルミ表面を加工処理した板に切り込み筋を一定間隔で入れ、引っ張ることで捩れながら立ち上がった菱型状の空間を持つ、いわゆるラス網面による凹凸面の形成による反射も可能である。
【００４５】
図５について説明する。
図５は、本願発明の第３実施形態を示す説明図である。
（１）図５（Ａ）は、光束灯影反射板(20)を折板構造とすることで両面反射可能にしたものである。上図は、断面図（光束方向に交差する幅方向断面図）であり、下図は、平面図である。折板の凹凸差（総凹凸折曲差＝深さ）(c)は５ｍｍ以上５０ｍｍ以下であって、好ましくは２０ｍｍである。なお、ＬＥＤ(11)の配置は、凹凸差ｃ（総凹凸折曲差＝深さ）が１５ｍｍ以下であれば、ＬＥＤ光源ユニット(13)を直線状に配列してもよい。１５ｍｍ以下であれば、ＬＥＤ光源ユニット(13)に角度差を設けることで凹凸差を解消できるからである。
（２）なお、ＬＥＤ光源ユニット(13)は光束灯影反射板(20)を固定するための立板用固定バー(50)に取り付けているが、立板用固定バー(50)と光束灯影反射板(20)の間に隙間ができる凹部にＬＥＤ光源ユニット(13)を設けることができるように補助板(51)を用意し、これにＬＥＤ光源ユニット(13)を取り付けて凹部に配置するとよい。
（３）図５（Ｂ）は、図５（Ａ）で図示した折板構造の光束灯影反射板(13)の固定構造を示した縦断面図である。光束灯影反射板(20)は、その下端部および上端部を立板用固定バー(50)で固定されている。立板用固定バー(50)は、略Ｌ字形、コ字形、角形など使用して締結具５２で固定している。このように、固定具として略Ｌ字形等の立板用固定バー(50)を使用することで、光束灯影反射板(20)の両面反射構造を確実に維持できるとともに、光束灯影反射板(20)に凹凸形状(30)を形成する際に生じるひずみ・ゆがみ・ねじれ等を防止することができる。
（４）光束灯影反射板(20)が垂直方向に長く伸び、ひずみ・ゆがみが生じるおそれがある場合、下端部および上端部以外にその中間位置に立板用固定バー(50)を設けてもよい。中間位置に立板用固定バー(50)を設けることで、光束灯影反射板(20)のひずみ・ゆがみ等を確実に防止できるとともに、この立板用固定バー(50)に光源ユニット(13)を取り付けて中間部分に生じる光量の減衰を補うことができる。
（５）中間位置に立板用固定バー(50)を設けない場合は、ＬＥＤ(11)の配置面は５００ｍｍを限界とするが中間位置に立板用固定バー(50)を設けることで５００ｍｍ以上のＬＥＤ(11)の配置面を設けることができる。
【００４６】
図６及び図７について説明する。
図６及び図７は、本願発明の第４実施形態を示す説明図である。
まず、図６について説明する。
（１）図６（Ａ）に示すように、凹凸形状(30)を有する光束灯影反射板(20)の反射面（受光面）(21)に任意の面積（例えば、面積比３％〜５０％）で開孔部(22)を設けた多孔体とすることで、ＬＥＤ光源ユニット(13)側で灯影する光を反面側（裏面側）へ通過灯影させ、両面灯影することができる。
しかし、この場合、化粧板(14)に反射した光（反射光）(d)は開孔部(22)を直角状に通過して反面側（裏面側）へ灯影するが、開孔部(22)に直接（反射せず）入光する光（直線光）(e)は傾斜しているため、反面側（裏面側）を十分に灯影できない。
（２）これに対して、図６（Ｂ）で示すように、光束灯影反射板(20)の反面側（裏面側）に通過灯影させる光源ユニット(13)からの直線光（全面入光角度で入光した光束）(e)を灯影光として利用するために、開孔部(22)となる灯影反射板(20)の一部を切り離さずに所定の角度で折り曲げて反射面(21)となる折曲片(23)を形成することで、通過灯影させた光束（ＬＥＤ光）を反面側（裏面側）の目的方向に灯影することができる。
【００４７】
次に、図７について説明する。
（１）図７（Ａ）に示すように、両面灯影させるための開孔部(22)に光透過性を有する光導入体(60)を開孔部(22)へ嵌め込むことで、光導入体(60)から反面側（裏面側）へ透過光(f)として灯影される。ここで、光導入体(60)としては、例えば、レンズ体などが挙げられる。
（２）特に、光導入体(60)が凹凸形状(61)又は微細凹凸形状(62)を備えることで、一部は入光時の乱反射で拡散されるものの、光束灯影反射板(20)の両面側それぞれの灯影を制御できる。光透過性を有する凹凸受光面による反射と入光により入光された光が裏面に透過される。光透過性樹脂の凹凸(61)は灯影反射板(20)と同じ高さの凹凸(61)が好ましいが、半分以下の高さで水平面正反射を防止する粗さ面でもよい。
（３）図７（Ｂ）に示すように、光導入体を開孔部(22)を介して反面側（裏面側）前面に設けるようにしてもよい。
【００４８】
図８（図８−１から図８−４）について説明する。
図８は、本願発明の第５実施形態を示す説明図である。
まず、図８−１について説明する。
（１）ＬＥＤ(11)の光は、単一指向性の光で目的方向に鋭角で照射された光は斜め方向に広域拡散しない。拡散する手法として突起(30)の側面に受光する光が僅かに拡散するだけで、広範囲を灯影及び照射することはできない。図８−１（Ａ）に示すような、平滑な光束灯影反射板においては、照射された直線上でそのほとんどが垂直方向あるいは突起面灯影反射方向に光束を変換(g)するのみで、斜め方向（放射状）には灯影されない。
（２）しかし、灯影反射板(20)の反射面（受光面）(21)を光束方向に対し直角方向に湾曲した湾曲面(24)であることで、図８−１（Ｂ）に示すような、横方向から照射されたＬＥＤの光は湾曲面(24)のそれぞれの曲面方向に灯影反射（放射状反射）(h)される。
（３）ＬＥＤの光は光源ユニット（レンズ又はリフレクター或いはその両方）(13)により光束、すなわち光束変換されて太い光として広角あるいは遠伸灯影される。この時照射された光束は角度の異なる湾曲面(24)に筋状に照射されたＬＥＤの光としてそれぞれが照射された湾曲面(24)の直角方向いわゆる湾曲をなす円周の中心点から放射状に伸びる方向（法線）を中心に入射角と同じ反射角で円周拡散(h)され、その光束の円周拡散(h)が光束灯影反射板(20)の光束方向（長手方向）の斜め正反射方向に連続して灯影される。
（４）図８（Ｂ）は化粧板(14)方向に凸状に湾曲する湾曲面(24)であるが、化粧板(14)方向に凹状に湾曲する湾曲面(24)であってもよい。凹状湾曲面(24)の場合も凸状湾曲面(24)と同じように円周拡散(h)するが、一度内側へ集光した光が交差して放射状に拡散し灯影する。
【００４９】
次に、図８−２から図８−４について説明する。
（１）湾曲面(24)の曲線は３０Ｒ〜４００Ｒの範囲で３０Ｒから１００Ｒの強い円周形状の細型と２５０Ｒから３５０Ｒのゆるい円周形状に幅広形状が使用目的により選ばれる形状が好ましい。この場合ＬＥＤ光源ユニット(13)は１個以上６個以下／辺の範囲となる。突起（凹凸形状）(30)の灯影反射効果と湾曲灯影効果により、横方向から鈍角（全面入光角度）(a)に照射される光は斜め方向を広範囲に灯影することができる。
（２）図８−２では、光束灯影反射板(20)の湾曲面(24)の曲線が２５０Ｒ、３００Ｒ、３５０Ｒのものを図示している。そして、２５０Ｒの湾曲面(24)については、反射面(21)への照射平行光線に対する反射光をシミュレーションしている。左右両端に設置するＬＥＤ光源ユニット(13)を図示の位置に設置すれば（右側省略）、入射光(k)が湾曲面(24)に反射して反射光(m)となる。この反射光(m)が光束灯影反射板(20)左端の起立部(26)スレスレに反射することが試算できた。これにより、左右両端２個と中央１個の計３個で光束灯影反射板(20)に効率良い入射光を入射できる。
（３）図８−３では、光束灯影反射板(20)の湾曲面(24)の曲線が３０Ｒのものを図示している。３０Ｒだと湾曲がきつく反射角度が広くなり、前方（化粧板(14)側）への反射光が少なくなる。しかしながら、光束灯影反射板(20)の左右両端に設けられた起立部(26)が前方（化粧板(14)側）へ反射しない反射光を再反射し、前方（化粧板(14)側）への反射を制御する重要な役割を果たしている。ＬＥＤをＲ３０の光束灯影反射板(20)の頭頂部とそれぞれの側面に設けることで、円周の広範囲を拡散照射することもできる。この広範囲照射可能なことにより、直管蛍光灯の代替用に使用できる。また、Ｒ３０の湾曲面(24)に代えて、逆Ｖ字形に成形されて両傾斜面を反射面(21)とする光束灯影反射板(20)でもよい。
（４）図８−４では、光束灯影反射板(20)が０Ｒ（直線状）のものを図示している。この場合、反射面(21)への照射平行光線（入射光）は同じ光路を通る反射光となる。従って、図８−２や図８−３に示す湾曲面(24)のような円周拡散は見られない。
【００５０】
次に、光束灯影反射板(20)の湾曲面(24)の成形方法について説明する（図示省略）。
（１）湾曲面(24)成形方法として「エンボスロール成形加工」は、ローラー金型においては、金型設計時にスプリングバッグを考慮する必要がなく、ローラーの雄型と雌型の線で接する接合圧力により凹凸が成形されるので、凹凸成形性が優れている。
そこで成型される際に上下の凹凸ローラー押し圧の制御あるいはローラー出口に設ける湾曲形状設定板又は補助ローラー及び湾曲補助ガイドにより、任意の湾曲面(24)あるいは平面を得ることができる。
（２）なお、圧力のかかるエンボスローラーで成形加工した後に、湾曲を成形するためのホーミングローラーにより積極的にローラーによる圧力を加えて湾曲を形成する場合もある。
（３）また、ホーミングローラーとエンボスローラーを兼ね備えた成形加工をする場合もある。
【００５１】
図９及び図１０について説明する。
図９及び図１０は、本願発明の第６，７実施形態を示す説明図である。
まず、図９（Ａ）について説明する。
（１）湾曲状に反り上がった或いは反り下がった光束灯影反射板(20)の湾曲面(24)の片側あるいは両側に湾曲形状の湾曲面(24)とは異なる角度に折り曲げられた平坦な辺である固定面(25)を設ける。これにより、湾曲面(24)を備えた光束灯影反射板(20)の固定時のネジ止めによる湾曲面(24)のつぶれや変形を防止し、湾曲面(24)長手方向の平行・水平性を得ることができる。
（２）形成された湾曲面(24)の長手方向に平行する円周辺の片側あるいは両側の側端から３ｍｍ〜２０ｍｍ好ましくは１０ｍｍの位置（なべネジ頭部幅）をベンダー機又はホーミング機あるいは凹凸形成時を含むプレス機により折り曲げる。折り曲げる角度は固定対象面(90)と平行になる角度で、一般には０度（水平）が好ましい。
（３）湾曲する光束灯影反射板(20)の光束方向円周辺に固定面(25)を設けることで、光束灯影反射板(20)の湾曲面(24)に垂直方向の曲がり折れを防止でき、歪み程度の軽度な変形は固定対象面(90)に固定することで平行安定性を得ることができる。
（４）固定面(25)が０度の水平の場合、隣り合う光束灯影反射板(20)の固定面(25)を重ね合わせることで横方向（上図参照）あるいは縦方向（図示省略）に連結することができる。このため、光束灯影反射板(20)の組み合わせによる大型化が可能となる。なお、符号(53)は、固定面(25)を固定対象面(90)に固定するための固定具である。
（５）なお、上記（４）において縦方向（図示省略）の連結の場合、光源ユニット(13)は、連結しない片側一辺または対峙する両辺から湾曲面(24)へ照射するが、光源ユニット(13)からの光束が到達しない場合又は明るさが暗い場合は連結部に光源ユニット(13)を設けて明るさを確保することができる。
（６）後述する起立部(26)を備えた光束灯影反射板(20)の場合も固定面(25)を備えることで、横方向（下図参照）あるいは縦方向（図示省略）に連結することができる。なお、横方向（下図参照）の連結においては固定面(25)の重ね合わせはできないが、後述する補助片(27,28)の重ね合わせで連結を確実・容易に行える。
【００５２】
次に、図９（Ｂ）及び（Ｃ）について説明する。
（１）光束灯影反射板(20)の平状または湾曲する反射面（灯影面）(21)の両側に９０度あるいは外方に向けて６０度から９０度以下の角度(x)を有する起立部(26)を設けて、横方向から光束灯影反射板(20)に照射される光束の拡散を防止し、灯影面開口部(y)方向に光を灯影する。
（２）図９（Ｂ）右２図は角度(x)と灯影面開口部(y)を図示し、同左６図は起立部(26)を９０度に設けた各種光束灯影反射板(20)を図示している。
（３）図９（Ｃ）は１段目両起立部(26)の角度(x)ともに９０度、２段目と３段目両起立部(26)の角度(x)９０度と９０度未満、４段目両起立部(26)の角度(x)ともに９０度未満のものを図示している。
（４）光束灯影反射板(20)の両側に設ける９０度あるいは６０度から９０度以下の角度を有する起立部(26)の長さは、個々の開口部(y)に５０ｍｍ以上空間を設けて透明又は乳白の１〜３ｍｍの樹脂板を乗せた際、反射面（灯影面）(21)の再反射を得る効果と光束残光が判断しにくい５０ｍｍ以上の辺の長さを持つ単独ユニットタイプがある。
（５）５０ｍｍ以下の辺の長さ起立部の高さで箱の中に組み込む薄形状がある。
（６）折り曲げ辺起立部を設けることで、灯影反射板の強度が増す。
（７）起立部の左右の高さを変えることで、連結時の固定安定性と連結性を持たせている。
【００５３】
次に、図９（Ｄ）について説明する。
（１）起立部(26)の先端には、外側へ１段または２段に折り曲げた補助片(27,28)を設けることで、起立部(26)の変形を防止しするとともに、補助片(27,28)どうしを係合させることで光束灯影反射板(20)を取り付ける（連結する）ことができる。
（２）起立部(26)先端の１段又は２段に折り曲げた補助片(27,28)は隣り合う起立部(26)を係合するために左右の高さが僅かに異なる同等開口角の嵌合構造となっている。  
（３）ローラー加圧加工いわゆるエンボスローラーにより凹凸を形成した湾曲性を持たせた光束灯影反射板(20)は両側に設ける起立部(26)・補助片(27,28)も円周円の湾曲性を持っているが、折り曲げ面の幅が少ないことで湾曲していても影響はほとんど無い。
（４）凹凸形状を形成した光束灯影反射板の起立部（26)及び補助片(27,28)は、樹脂加熱方法では成形金型でよいが、非加熱法の支持体を有する光束灯影反射板は凹凸形成後折り曲げごとのプレス加工・ベンダー加工、連続加工する装置における連続ベンダー・ローラーフォーミング加工により形成される。
【００５４】
次に、図１０（Ａ）について説明する。
（１）光束灯影反射板(20)の反射面（灯影面）(21)は水平・湾曲形状以外に目的灯影反射方向に光を照射するために左右辺に高さの異なる傾斜角(70)を持つ反射面(21)（左図）あるいは傾斜面(71)を持つ反射面(21)（中央図）とすることもできる。
（２）また、反射面(21)全体を水平状ではなく傾斜状にしてもよい。
取付孔(93)を備えた固定対象面(90)に補助片(27,28)を引っ掛けて取り付ける構造（右図）の照明装置(10)に有効である。
また、図１０（Ｂ）について説明する。
（１）光束灯影反射板(20)を単独（シングル）で使用する場合の様々なバリエーションを示したものである。
（２）左側は、化粧板(14)を備えた構造の照明装置(10)である。上２図は、化粧板(14)が湾曲状のものであり、下３図は化粧板(14)が直線状のものである。最下図は、取付孔(93)を備えた固定対象面(90)に取り付ける構造の照明装置(10)である。
（３）右側は、化粧板(14)を備えない構造の照明装置(10)である。起立部(26)が高いもの（上２図）低いもの（下２図）や反射面(21)が湾曲するもの（最上図・最下図）水平なもの（中２図）を組み合わせている。
また、図１０（Ｃ）について説明する。
（１）薄型の照明装置(10)を示したものである。起立部(26)の低い光束灯影反射板(20)を連結し、それを筐体(91)の中に組み込んだ薄形照明装置(10)の一例である。
【００５５】
図１１は、本願発明の第８実施形態を示す説明図である。図１１（Ａ）〜（Ｃ）は、いずれも光束灯影反射板(20)の幅方向（反長手方向）の断面図を示す。
（１）まず、図１１（Ａ）について説明する。
図１１（Ａ）（ａ）は、光束灯影反射板(20)が凸状に湾曲された円又は楕円反射面(80)を備えたものを図示したものである。
図１１（Ａ）（ｂ）は、光束灯影反射板(20)が凸状に湾曲された円又は楕円反射面(80)とその両端に平坦面(81)を備えたものを図示したものである。
図１１（Ａ）（ｃ）は、光束灯影反射板(20)が平面状の平面反射面(82)を備えたものを図示したものである。
図１１（Ａ）（ｄ）は、光束灯影反射板(20)が凹状に折曲された折曲反射面(83)を備えたものを図示したものである。
図１１（Ａ）（ｅ）は、光束灯影反射板(20)が凹状に湾曲された円又は楕円反射面(84)を備えたものを図示したものである。
図１１（Ａ）（ｆ）は、光束灯影反射板(20)が凹状に折曲された折曲反射面(83)を備えたものを図示したものである。これは、中心部分が平面状になっていることを特徴とする。
図１１（Ａ）（ｇ）〜（ｉ）は、光束灯影反射板(20)が凹状に湾曲された円又は楕円反射面(84)を備えたものを図示したものである。これは、（ｇ）〜（ｉ）に従って開口部(85)が広くなっていることを特徴とする。
図１１（Ａ）（ｊ）は、光束灯影反射板(20)が凹状に湾曲された円又は楕円反射面(84)を備えたものを図示したものである。これは、中心部分が平面状になっていることを特徴とする。
【００５６】
（２）また、図１１（Ｂ）について説明する。
図１１（Ｂ）（ａ）は、光束灯影反射板(20)が凹状に湾曲された円又は楕円反射面(84)を１つ備えたものを図示したものである。
図１１（Ｂ）（ｂ）は、光束灯影反射板(20)が凹状に湾曲された円又は楕円反射面(84)を２つ備えたものを図示したものである。
図１１（Ｂ）（ｃ）は、光束灯影反射板(20)が凹状に折曲された折曲反射面(83)を２つ備えたものを図示したものである。
図１１（Ｂ）（ｄ）は、光束灯影反射板(20)が凸状に折曲された折曲反射面(86)を１つ備えたものを図示したものである（逆富士型）。
【００５７】
（３）また、図１１（Ｃ）について説明する。
図１１（Ｃ）（ａ）及び（ｂ）は、開口部(85)が同じ広さの凹状に湾曲された円又は楕円反射面(84)を備えた光束灯影反射板(20)に、小径の光源ユニット(13)を設けた（ａ）と大径の光源ユニット(13)を設けた（ｂ）を図示したものである。
図１１（Ｃ）（ｃ）及び（ｄ）は、光源ユニット(13)を小径のもので同じくして凹状に湾曲された円又は楕円反射面(84)を備えた光束灯影反射板(20)に、開口部(85)の広さを全周の１／２にしたもの（ｃ）と全周の約１／３にしたもの（ｄ）を図示したものである。
図１１（Ｃ）（ｅ）は、凹状に湾曲された円又は楕円反射面(84)の両端を直線状にして側面(87)を備えたものを図示したものである。
【００５８】
図１２及び図１３は、本願発明の第９実施形態を示す説明図である。図１２（Ａ）はＬＥＤ照明装置(10)の分解図を、図１２（Ｂ）はＬＥＤ照明装置(10)の斜視図を示す。
まず、図１２について説明する。
ＬＥＤ照明装置(10)は、凹状に湾曲された円又は楕円反射面(24)を備えた光束灯影反射板(20)を、その一部又は全部に光透過性を有する円柱状のケース部材(95)内に設置して、パイプ型照明装置を提供するものである。詳しくは、光束灯影反射板(20)と光源ユニット(13)と到達反射板(40)を備えて、これを透明又は乳白色の透過性を有する化粧板(14)と本体部からなるケース部材(95)に内在させて、ケース部材(95)の両端をキャップ部材(96)で密閉することで、防水・防滴・防塵構造としたものである。キャップ部材(96)は、光源ユニット(13)や到達反射板(14)を取り付けることのできる角度設計をすることで、部品点数を少なくすることができる。また、キャップ部材(96)の取付にはＯリング(97)を使用することで密閉構造を確実なものにできる。さらに、キャップ部材(96)をアルミニウム等の金属製のものとすることで放熱効果を備えることもできる。
【００５９】
ここで、このＬＥＤ照明装置(10)のケース部材(95)は、以下のようなものであることが好ましい。
（１）透明又は乳白色・黄色を含ませた乳白色の化粧板(14)による光が透過する照射灯影面が好ましい。
（２）不燃或いは難燃性を有するものであることが好ましい。例えば、ポリカーボネート，ＡＢＳ等の樹脂や金属（透過部分以外）などである。
（３）形状は、円筒状・楕円・四角以上の多角形状であることが好ましい。
（４）なお、ケース部材(95)に組み込む光束灯影反射板(20)は、凹凸形状(30)を持つ反射板を凹形状又は凸形状に成形して、目的方向への反射を設計したものから選ばれる。
【００６０】
パイプ型のＬＥＤ照明装置(10)は、その両端に支持板(99)を備えた台座(98)にセットされ、支持板(99)に設けられた支軸(100)で円周方向に回転自在な構造とするとともに、同じく支軸(99)に設けられた規制部材(101)で回転角度の規制された構造とする。
なお、ケース部材(95)は、一体型のものであってもよいし、化粧板(14)と本体部が分離していて、これらを組み合わせる構造のものであってもよい。また、ケース部材(95)に代えて、凹状に湾曲された円又は楕円反射面(24)を備えた光束灯影反射板(20)の開口部にその一部又は全部に光透過性を有する取付部材（図示省略）を取り付ける構造のものであってもよい。この場合、光束灯影反射板(20)はケース部材(95)の本体部の役割を果たすことになる。
【００６１】
次に、図１３について説明する。
図１３は、図１２に図示されたＬＥＤ照明装置(10)が円周方向に回転自在な構造であること図示している。図示するように、凹状に湾曲された円又は楕円反射面(24)を備えた光束灯影反射板(20)の開口部から照射された光が回転された方向に照射できる。これにより、ＬＥＤ照明装置(10)の取付場所を選ぶことなく、目的とする照射方向へ効率良く光を照射できる。例えば、図１３左側のＬＥＤ照明装置(10)は壁寄りに設置されているが、内側に回転させることで、中央部分に設置した図１３右側のＬＥＤ照明装置(10)と同様な範囲に光を照射できる。また、あえて天井や壁面に光を反射させてインテリア効果や演出効果を与えることも可能になる。
【００６２】
図１４は、本願発明の第１０実施形態を示す説明図である。図１４は、ＬＥＤ照明装置(10)を直列連結構造にしたものである。
まず図１４（Ａ）について説明する。
（１）背合わせに到達反射板(40)を設けた２連結面発光体（ＬＥＤ照明装置）においては、化粧板(14)に発生する連結部に起因する陰影差を解消できる。
（２）この場合、ＬＥＤ(11)の取り付け位置は下げる。すなわち、到達反射板(40)およびその支持体は、化粧板(14)よりも５〜１０ｍｍ低くする。また、到達反射板(40)の角度は、対峙する発光部の手前で光束灯影反射板(20)の中心点より先の、長手方向２／３〜１／１０で好ましくは１／５の位置に到達反射板(40)の最先端の光線が戻る最適下向角にする（低くした到達反射板(40)の上部には、補強の折り曲げは外側折の３ｍｍあるいは折り曲げ補強は無くす）。低くした背合わせの到達反射板(40)の上部には、２ｍｍから５ｍｍの隙間を残すことができる厚さの白色の円柱又は半円或いは楕円の光拡散物(41)を設けるとよい。
【００６３】
次に、図１４（Ｂ）について説明する。
（１）前記光源ユニット(13)と前記到達反射板(40)が背合わせになるように連結しても、図１４（Ａ）と同様に、陰影差を低減させた面発光ができる。
（２）この組み合わせによりＬＥＤの直列方向においても、無限の長さに延長することができる（到達反射板(40)を背合わせにする場合は２連結のみ）。
（３）なお、光源ユニット(13)を構成するレンズやリフレクターの直上にＬＥＤの光の一部を遮断・減衰するための減光板や減光筒等の減光部材(42)を設けることで、光源部分に接する化粧板(14)の照度を下げて、照度の均一な面発光を実現できる（図１４（Ａ）においても同じ）。
【００６４】
図１５は、本願発明の第１１実施形態を示す説明図である。図１５（Ａ）は、光束灯影反射板(20)が長手方向４００ｍｍＬ以下の場合のレンズ設置角を、図１５（Ｂ）は、同４００ｍｍＬ以上の場合のレンズ設置角を図示するものである。
（１）まず、図１５（Ａ）について説明する。長手方向４００ｍｍ以下の長さを有する光束灯影反射板(20)に対しては、光束灯影反射板(20)を水平基準としたレンズ角度（光源ユニット(13)）は、直角より３度以上８度以下で下向きに設置されて、円錐状に照射された光束の中心線から上半分の光の一部又は全部が、到達反射板(40)の下部又は中央部に照射される角度に設置することが好ましい。
（２）次に、図１５（Ｂ）について説明する。長手方向４００ｍｍ以上の長さを有する光束灯影反射板(20)に対しては、光束灯影反射板(20)を水平基準としたレンズ角度（光源ユニット(13)）は、直角又は５度以下で下向きに設置されて、円錐状に照射された光束の中心線から上半分の光の一部又は全部が、到達反射板(40)の下部又は中央部に照射される角度に設置することが好ましい。
（３）特に、長手方向４００ｍｍＬ以上の長さを有する光束灯影反射板(20)においては、光源ユニット(13)から照射された光は「光束灯影反射板(20)を灯影する光」「到達反射板(40)を灯影する光」「化粧板（灯影面）(14)を灯影する光」に分けられる。そして、光束灯影反射板(20)を前方部・中間部・後方部に３分割した場合、光源ユニット(13)から円錐状に照射された光は、当該中間部・後方部手前（光源ユニット側の山）の凹凸形状(30)頭頂部が一番明るくなる角度に設置する。同時に、到達反射板(40)に受光した光は、下向きに設ける到達反射板(40)により反射されて、光源ユニット(13)側からみて、後方部および前方部後方の到達反射板(40)側の凹凸形状(30)頭頂部が一番明るくなる角度に設置し、片側から照射される光（光源ユニット(13)からの光）は、光照射側の凹凸形状(30)頭頂部と、光反射側の凹凸形状(30)頭頂部に光を照射させ、一方向光源の光を２方向から光束灯影反射板(20)の凹凸形状(30)に照射させる。
【符号の説明】
【００６５】
１０  ＬＥＤ照明装置（照明装置）
１１  ＬＥＤ
１２  基板回路部
１３  光源ユニット
１４  化粧板
２０  光束灯影反射板（自由散光制御板）
２１  反射面
２２  開孔部
２３  折曲片
２４  湾曲面
２５  固定面
２６  起立部
２７  補助片（１段）
２８  補助片（２段）
３０  凹凸形状      ３０１  凹凸形状（線状）    ３０２  凹凸形状（点状）
３１  着色（青）
３２  着色（赤）
４０  到達反射板
４１  光拡散物
４２  減光部材
５０  立板用固定バー
５１  補助板
５２  締結具
５３  固定具
６０  光導入体
６１  凹凸形状
６２  微細凹凸形状
７０  傾斜角
７１  傾斜面
８０  凸状に湾曲された円又は楕円反射面
８１  平滑面
８２  平面反射面
８３  凹状に湾曲された折曲反射面
８４  凹状に湾曲された円又は楕円反射
８５  開口部
８６  凸状に湾曲された折曲反射面
８７  側面
９０  固定対象面
９１  筐体
９３  取付孔
ａ  鈍角（全面入光角度）
ｂ  光束の外線
ｃ  総凹凸折曲差（凹凸差＝深さ）
ｄ  反射光
ｅ  直線光
ｆ  透過光
ｇ  反射光
ｈ  反射光（放射状）
ｉ  光束（一方向）
ｊ  光束（他方光）
ｋ  入射光
ｍ  反射光
ｘ  起立部の起立角度
ｙ  灯影面開口部
９５  ケース部材
９６  キャップ部材
９７  Ｏリング
９８  台座
９９  支持板
１００  支軸
１０１  規制部材
【図１】
2011009198.tif 000003
【図２】
2011009198.tif 000004
【図３−１】
2011009198.tif 000005
【図３−２】
2011009198.tif 000006
【図３−３】
2011009198.tif 000007
【図４】
2011009198.tif 000008
【図５】
2011009198.tif 000009
【図６】
2011009198.tif 000010
【図７】
2011009198.tif 000011
【図８−１】
2011009198.tif 000012
【図８−２】
2011009198.tif 000013
【図８−３】
2011009198.tif 000014
【図８−４】
2011009198.tif 000015
【図９】
2011009198.tif 000016
【図１０】
2011009198.tif 000017
【図１１】
2011009198.tif 000018
【図１２】
2011009198.tif 000019
【図１３】
2011009198.tif 000020
【図１４】
2011009198.tif 000021
【図１５】
2011009198.tif 000022